(57)【要約】【課題】情報機器と印刷装置とを容易に接続し、情報機器から印刷装置に印刷させることができるシステムを提供する。【解決手段】印刷システム５０は、印刷装置１００と情報端末２００とが通信で接続され、印刷装置１００は、ＵＳＢで通信する有線通信手段１２０と、情報端末２００との接続を確認する接続確認手段１１２と、情報端末２００で起動するアプリケーションを情報端末２００に通知する起動アプリケーション決定手段１１４と、を備え、情報端末２００は、ＵＳＢで通信する有線通信手段２３５と、サーバー３１０と無線で通信する無線通信手段２３０と、インストールを判定するアプリケーション有無判定手段２１４と、サーバー３１０を決定するダウンロードサイト決定手段２１６と、サーバー３１０からアプリケーションを取得し、インストールするインストール手段２１８と、アプリケーションを起動するアプリケーション起動手段２２０と、を備える。【選択図】図１
2015049575.tif 000002
【特許請求の範囲】
【請求項１】
印刷装置と情報端末とが通信を介して接続される印刷システムであって、
前記印刷装置は、
プラグアンドプレイに対応し、前記情報端末と有線で通信する有線通信手段と、
前記通信手段が前記情報端末と通信可能に接続したことを確認する確認手段と、
前記確認手段が接続を確認した場合、前記情報端末で起動させるアプリケーションを決定し、決定した前記アプリケーションに関するアプリケーション情報を前記有線通信手段による通信により前記情報端末に通知するアプリケーション決定手段と、を備え、
前記情報端末は、
前記プラグアンドプレイに対応し、前記印刷装置と有線で通信する有線通信手段と、
ネットワークを介して接続されたノードと無線で通信する無線通信手段と、
前記有線通信手段の通信により前記印刷装置から通知される前記アプリケーション情報を取得し、前記アプリケーションがインストールされているか、否かを判定する判定手段と、
前記判定手段が前記アプリケーションはインストールされていないと判定した場合、前記アプリケーションを取得可能な前記ノードを決定するノード決定手段と、
前記無線通信手段が前記決定手段で決定した前記ノードと通信することにより前記ノードから前記アプリケーションを取得し、取得した前記アプリケーションをインストールするインストール手段と、
前記アプリケーションを起動する起動手段と、を備えることを特徴とする印刷システム。
【請求項２】
請求項１に記載の印刷システムにおいて、
前記アプリケーション決定手段は、前記情報端末を制御する基本ソフトウェアに応じて前記アプリケーション情報を生成することを特徴とする印刷システム。
【請求項３】
請求項１乃至２のいずれかに記載の印刷システムにおいて、
前記アプリケーション情報は、前記アプリケーションを識別するための文字列情報、有線接続において接続先を識別するためのシリアル情報、および前記アプリケーションを前記ノードからダウンロードするためのアドレス情報の少なくとも１つを含むことを特徴とする印刷システム。
【請求項４】
請求項１乃至３のいずれか１項に記載の印刷システムにおいて、
前記印刷装置は、前記情報端末で起動された前記アプリケーションに基づいて送信されるデータに対する処理を選択する選択手段を備えることを特徴とする印刷システム。
【請求項５】
請求項１乃至４のいずれか１項に記載の印刷システムにおいて、
前記アプリケーション情報は、前記印刷装置を識別可能な識別情報を含み、
前記情報端末は、前記識別情報に基づいて起動可能な前記アプリケーションを決定し、決定した前記アプリケーションを起動させるための第２起動手段を備えることを特徴とする印刷システム。
【請求項６】
印刷装置と情報端末とがプラグアンドプレイに対応する有線通信を介して接続される印刷システムの制御方法であって、
前記印刷装置が前記情報端末と通信可能に接続したことを確認する確認工程と、
前記確認工程で接続が確認された場合、前記印刷装置が前記情報端末で起動させるアプリケーションを決定する決定工程と、
前記印刷装置が前記アプリケーションに関するアプリケーション情報を前記有線通信により前記情報端末に通知する通知工程と、
前記情報端末が前記印刷装置から通知される前記情報を取得し、前記アプリケーションがインストールされているか、否かを判定する判定工程と、
前記判定工程で前記アプリケーションがインストールされていないと判定された場合、前記情報端末が前記アプリケーションを取得可能なノードを決定するノード決定工程と、
前記情報端末が前記ノードとネットワークを介して無線で通信することで前記アプリケーションを取得し、取得した前記アプリケーションをインストールするインストール工程と、
前記情報端末が前記アプリケーションを起動する起動工程と、を有することを特徴とする印刷システムの制御方法。
【発明の詳細な説明】
【技術分野】
【０００１】
本発明は、印刷システムおよび印刷システムの制御方法に関する。
【背景技術】
【０００２】
近年、下記特許文献１に示すように、スマートフォンと呼ばれる高機能携帯電話やタブレットと呼ばれる多機能携帯端末のような情報端末と、プリンター等の印刷装置と、が無線を介して接続され、情報端末から送信される印刷データに基づいてプリンターが印刷を行うシステムが知られている。
このような無線通信の代表例として、Bluetooth（登録商標）が広く使用されている。Bluetoothは、搬送媒体として２．４５ＧＨｚ帯の高周波数帯域の電波を使用し、最大３Ｍｂｐｓの転送速度で数メートル離れた通信が可能であることに加え、アクセスポイントが不要で端末同士が直接接続されるため、効率良く複数の端末間でデータ通信することができる。
【先行技術文献】
【特許文献】
【０００３】
【特許文献１】特開２００４−４０７０３号公報
【発明の概要】
【発明が解決しようとする課題】
【０００４】
しかしながら、Bluetoothは、データ通信を行う前に、予め通信相手を認識するためにペアリングと呼ばれる接続設定処理が必要であり、接続設定に不慣れな一般のユーザーにとっては設定操作が煩わしく、Bluetoothによりデータ通信を行うのに多くの手間と時間を要した。
本発明は、上述の課題に鑑みてなされたものであり、情報機器と印刷装置とを容易に接続し、情報機器から印刷装置に印刷させることができるシステムを提供することを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる印刷システムは、印刷装置と情報端末とが通信を介して接続される印刷システムであって、前記印刷装置は、プラグアンドプレイに対応し、前記情報端末と有線で通信する有線通信手段と、前記通信手段が前記情報端末と通信可能に接続したことを確認する確認手段と、前記確認手段が接続を確認した場合、前記情報端末で起動させるアプリケーションを決定し、決定した前記アプリケーションに関するアプリケーション情報を前記有線通信手段による通信により前記情報端末に通知するアプリケーション決定手段と、を備え、前記情報端末は、前記プラグアンドプレイに対応し、前記印刷装置と有線で通信する有線通信手段と、ネットワークを介して接続されたノードと無線で通信する無線通信手段と、前記有線通信手段の通信により前記印刷装置から通知される前記アプリケーション情報を取得し、前記アプリケーションがインストールされているか、否かを判定する判定手段と、前記判定手段が前記アプリケーションはインストールされていないと判定した場合、前記アプリケーションを取得可能な前記ノードを決定するノード決定手段と、前記無線通信手段が前記決定手段で決定した前記ノードと通信することにより前記ノードから前記アプリケーションを取得し、取得した前記アプリケーションをインストールするインストール手段と、前記アプリケーションを起動する起動手段と、を備えることを特徴とする。
【０００７】
このような構成によれば、印刷装置と情報端末とは、プラグアンドプレイに対応した有線通信を介して接続され、接続されたことが確認できた場合、印刷装置は、情報端末で起動させるアプリケーションを決定して情報端末に通知し、情報端末は、通知を受けたアプリケーションがインストールされていない場合は、取得可能なノードから無線通信を介して取得してインストールし、アプリケーションを起動させる。従って、印刷装置と情報端末とを容易に接続できることに加え、印刷装置が決定したアプリケーションを情報端末に通知し、情報端末は、必要に応じてノードから取得してインストールすることで、印刷装置が決定したアプリケーションを確実に起動させることができる。
【０００８】
［適用例２］
上記適用例にかかる印刷システムにおいて、前記アプリケーション決定手段は、前記情報端末を制御する基本ソフトウェアに応じて前記アプリケーション情報を生成することを特徴とする。
【０００９】
このような構成によれば、情報機器を制御する基本ソフトウェアに応じたアプリケーション情報を生成できる。
【００１０】
［適用例３］
上記適用例にかかる印刷システムにおいて、前記アプリケーション情報は、前記アプリケーションを識別するための文字列情報、有線接続において接続先を識別するためのシリアル情報、および前記アプリケーションを前記ノードからダウンロードするためのアドレス情報の少なくとも１つを含んでも良い。
【００１１】
［適用例４］
上記適用例にかかる印刷システムにおいて、前記印刷装置は、前記情報端末で起動された前記アプリケーションに基づいて送信されるデータに対する処理を選択する選択手段を備えることを特徴とする。
【００１２】
このような構成によれば、選択手段を備えることで、送信されたデータに対する印刷装置での処理の設定を迅速にできる。
【００１３】
［適用例５］
上記適用例にかかる印刷システムにおいて、前記アプリケーション情報は、前記印刷装置を識別可能な識別情報を含み、前記情報端末は、前記識別情報に基づいて起動可能な前記アプリケーションを決定し、決定した前記アプリケーションを起動させるための第２起動手段を備えることを特徴とする。
【００１４】
このような構成によれば、印刷装置に応じて起動可能なアプリケーションの起動が容易にできる。
【００１５】
［適用例６］
本適用例にかかる印刷システムの制御方法は、印刷装置と情報端末とがプラグアンドプレイに対応する有線通信を介して接続される印刷システムの制御方法であって、前記印刷装置が前記情報端末と通信可能に接続したことを確認する確認工程と、前記確認工程で接続が確認された場合、前記印刷装置が前記情報端末で起動させるアプリケーションを決定する決定工程と、前記印刷装置が前記アプリケーションに関するアプリケーション情報を前記有線通信により前記情報端末に通知する通知工程と、前記情報端末が前記印刷装置から通知される前記情報を取得し、前記アプリケーションがインストールされているか、否かを判定する判定工程と、前記判定工程で前記アプリケーションがインストールされていないと判定された場合、前記情報端末が前記アプリケーションを取得可能なノードを決定するノード決定工程と、前記情報端末が前記ノードとネットワークを介して無線で通信することで前記アプリケーションを取得し、取得した前記アプリケーションをインストールするインストール工程と、前記情報端末が前記アプリケーションを起動する起動工程と、を有することを特徴とする。
【００１６】
このような方法によれば、印刷装置と情報端末とは、プラグアンドプレイに対応した有線通信を介して接続され、接続されたことが確認できた場合、印刷装置は、情報端末で起動させるアプリケーションを決定して情報端末に通知し、情報端末は、通知を受けたアプリケーションがインストールされていない場合は、取得可能なノードから無線通信を介して取得してインストールし、アプリケーションを起動させる。従って、印刷装置と情報端末とを容易に接続できることに加え、印刷装置が決定したアプリケーションを情報端末に通知し、情報端末は、必要に応じてノードから取得してインストールすることで、印刷装置が決定したアプリケーションを確実に起動させることができる。
【図面の簡単な説明】
【００１７】
【図１】本実施形態に係る印刷システムの機能構成を示すブロック図。
【図２】本実施形態に係る印刷システムにおける処理の流れを示すフローチャート。
【図３】印刷装置に表示されるユーザーインターフェイス画面の一例を示す図。
【図４】情報端末に表示されるユーザーインターフェイス画面の一例を示す図。
【図５】情報端末に表示されるユーザーインターフェイス画面の一例を示す図。
【発明を実施するための形態】
【００１８】
以下、本発明の実施形態について図面を参照して説明する。
【００１９】
（実施形態）
図１は、本実施形態に係る印刷システム５０の機能構成を示すブロック図である。この印刷システム５０では、印刷装置１００と、情報端末２００とが、ＵＳＢケーブル３２０を介して通信可能に接続されている。
本実施形態では、印刷装置１００はインクジェット方式のプリンターを想定し、情報端末２００はスマートフォンを想定するが、これらには限定されない。
また、印刷装置１００と情報端末２００とをケーブルで接続し、手動による接続設定や認証が不要なプラグアンドプレイに対応し有線で通信する規格として、ＵＳＢ（Universal Serial Bus）を採用するが、これには限定されない。例えば、ＩＥＥＥ１３９４等も採用できる。
この印刷システム５０では、ユーザーの指示に基づいて、情報端末２００にインストールされた、即ち、情報端末２００上から起動可能に設定されたアプリケーションソフトウェア（以下、アプリケーションと呼ぶ。）を起動し、アプリケーションが管理する写真画像や住所録データを印刷装置１００に転送し、所望の態様で印刷媒体に印刷させることができる。
【００２０】
＜印刷装置＞
最初に、印刷システム５０を構成する印刷装置１００について説明する。この印刷装置１００は、制御手段１１０、有線通信手段１２０、印刷手段１２５、表示手段１３０、操作手段１３５および画像入力手段１３８を備える。
また、制御手段１１０は、接続確認手段１１２および起動アプリケーション決定手段１１４を備える。
尚、印刷装置１００には、ハードウェアとして何れも図示は略した、ＣＰＵ、ＲＡＭ、ＲＯＭおよび記憶装置等を備え、制御手段１１０の各手段は、これらのハードウェアと、ＲＯＭや記憶装置に記憶されたソフトウェアと、が協働することで機能を実現している。
接続確認手段１１２は、印刷装置１００がＵＳＢケーブル３２０を介して他のデバイスと接続された場合、通信可能に接続されたことを確認する。例えば、有線通信手段１２０が情報端末２００の有線通信手段２３５とＵＳＢケーブル３２０を介して接続された場合、有線通信手段１２０および有線通信手段２３５は、ユーザーによる相互の接続設定処理は不要であり、ＵＳＢの規格に基づいた所定のプロトコルに応じて接続を確立し、相互間でデータの転送が可能になる。
【００２１】
接続確認手段１１２は、情報端末２００との接続が確立したことを確認し、接続確立できたことを示す情報を起動アプリケーション決定手段１１４に通知する。
起動アプリケーション決定手段１１４は、接続確認手段１１２から情報端末２００との接続確立が通知された場合、情報端末２００に対して起動を要求するアプリケーションを決定し、決定したアプリケーションを起動させるためのアプリケーション情報を作成し、作成したアプリケーション情報を情報端末２００に送る。
本実施形態では、ＵＳＢにより接続できた場合に情報端末２００に対して起動を要求するアプリケーションは、画像データや個人データ等の種々のデータを管理し、情報端末２００と印刷装置１００との間でデータを転送するためのソフトウェアを想定する。アプリケーションは予め決定されてＲＯＭ等に記憶されているが、ユーザーが設定する態様も想定できる。また、情報端末２００のシステムを制御する基本ソフトウェア（ＯＳ）は、iOS（登録商標）、Android（登録商標）、Windows Phone（登録商標）等を想定し、これらのＯＳに応じてアプリケーション情報が異なる。従って、起動アプリケーション決定手段１１４は情報端末２００のＯＳに関する情報を取得し、情報端末２００のＯＳに応じてアプリケーション情報を生成する。
【００２２】
例えば、情報端末２００のＯＳがAndroidである場合、アプリケーション情報は、アプリケーションを識別するためのアプリケーション名の文字列情報、ＵＳＢのセッション設定において接続先を識別するためのシリアル番号（シリアル情報）、アプリケーションをインターネット経由でダウンロードするためのＵＲＬ情報（アドレス情報）、印刷装置１００の機種名等を含む。尚、ＯＳがAndroid以外であっても、アプリケーション情報はAndroidの場合と略同様であり、それぞれのＯＳの規格に応じた形式でアプリケーション情報が生成される。
印刷手段１２５は、何れも図示を略した印刷エンジンや用紙搬送装置等を含む。本実施形態では、印刷対象の画像データは、有線通信手段１２０を介して情報端末２００のアプリケーションから送られる態様を想定するが、画像入力手段１３８がメモリーカードから読み取った画像を表示手段１３０に表示し、ユーザーが操作手段１３５を操作して印刷対象の画像を指定する態様も想定できる。
印刷手段１２５が印刷処理を開始すると、所定の位置に載置された用紙（図示は略す）は、用紙搬送装置により印刷位置まで案内され、印刷エンジンが備える往復動可能なキャリッジ（図示は略す）は主走査方向に往復移動すると共に、キャリッジの移動位置に応じて記録ヘッド（図示は略す）から用紙に対して画像のデータに基づいてインクが滴状に吐出される。更に、キャリッジの主走査方向の往復移動に対応して用紙が間欠的に下流方向に案内され、インクが吐出される用紙の領域が順次移動する。このようにして、画像データに基づくイメージ画像がインク吐出により用紙上に形成される。
【００２３】
＜情報端末＞
次に、印刷システム５０を構成する情報端末２００について説明する。この情報端末２００は、制御手段２１０、無線通信手段２３０、有線通信手段２３５、表示手段２４０、操作手段２４５および記憶手段２５０を備える。
無線通信手段２３０は、携帯電話で使用する電波を使った無線による通信を介して公衆通信網と接続することで、インターネット等のネットワーク３００を経由して所望のノード、例えば、サーバー３１０にアクセスすることができる。尚、無線通信は、例えば３Ｇや４Ｇのような携帯電話で使用する通信システムには限定されず、無線ＬＡＮ、Bluetooth、WiMAX（登録商標）および赤外線等の光通信でも良い。
また、制御手段２１０は、アプリケーション有無判定手段２１４、ダウンロードサイト決定手段２１６、インストール手段２１８およびアプリケーション起動手段２２０を備える。
【００２４】
尚、情報端末２００には、ハードウェアとして何れも図示は略した、ＣＰＵ、ＲＡＭおよびＲＯＭ等を備え、制御手段２１０の各手段は、これらのハードウェアと、ＲＯＭ等に記憶されたソフトウェアと、が協働することで機能を実現している。
アプリケーション有無判定手段２１４は、印刷装置１００から送られるアプリケーション情報を解析してアプリケーション名を抽出し、抽出したアプリケーション名に対応するアプリケーションが情報端末２００に既にインストールされているか、否かを判定する。
ダウンロードサイト決定手段２１６は、アプリケーション有無判定手段２１４においてアプリケーションがインストールされていないと判定された場合、アプリケーションをダウンロードするためのアクセス先を決定する。本実施形態では、ネットワーク３００に接続されたサーバー３１０等からアプリケーションをダウンロードするためのアクセス先情報（ＵＲＬ情報）がアプリケーション情報に含まれる場合、アプリケーション情報から該当するＵＲＬ情報を抽出する。このＵＲＬ情報は、アプリケーションを取得可能なウェブサイトを指し示す態様を想定する。また、ＵＲＬ情報がアプリケーション情報に含まれていない場合、情報端末２００のＯＳに応じて、アプリケーションをダウンロードするためのポータルサイトを指し示す態様を想定する。尚、ダウンロードサイト決定手段２１６はノード決定手段に相当する。
【００２５】
インストール手段２１８は、ダウンロードサイト決定手段２１６が決定したウェブサイトにアクセスし、ウェブサイトに対応する所定のサーバー３１０からアプリケーションをダウンロードし、情報端末２００で起動できるようにインストールする。この場合、インストール手段２１８は、情報端末２００のＯＳに応じて呼び出した画面を表示手段２４０に表示し、ユーザーによる操作手段２４５の操作に基づいてインストールを実行する。
アプリケーション起動手段２２０は、アプリケーション情報のアプリケーション名に対応するアプリケーションを起動させ、起動したアプリケーションが有するサービス機能をユーザーに提供する。
尚、本実施形態では、アプリケーションは、写真印刷アプリケーションや住所録管理アプリケーションを想定する。写真印刷アプリケーションは、記憶手段２５０等に記憶されている写真を表示手段２４０に表示し、ユーザーが操作手段２４５を操作して指示した写真の画像データを印刷装置１００に転送する機能を有する。
また、住所録管理アプリケーションは、ユーザーが管理する住所録を表示手段２４０に表示し、ユーザーが操作手段２４５を操作して指示した住所録のデータを印刷装置１００に転送する機能を有する。
【００２６】
ここで、図４を参照して、写真印刷アプリケーションおよび住所録管理アプリケーションについて説明する。アプリケーション起動手段２２０は、表示手段２４０に表示される図４（ａ）に示すようなユーザーインターフェイス画面２６０Ａを表示させ、ユーザーに起動するアプリケーションを選択させることもできる。例えば、ユーザーが写真ボタン２６２を押下すると、写真印刷アプリケーションが起動し、図４（ｂ）に示すような写真印刷アプリケーションのユーザーインターフェイス画面２６０Ｂが表示手段２４０に表示される。
また、ユーザーが住所録ボタン２６４を押下すると、住所録管理アプリケーションが起動し、図４（ｃ）に示すような住所録管理アプリケーションのユーザーインターフェイス画面２６０Ｃが表示手段２４０に表示される。このユーザーインターフェイス画面２６０Ｃに表示される個人毎のボタンには、該当する個人の氏名、住所、電話番号および生年月日等の個人の属性データが関連付けられている。
【００２７】
また、アプリケーション起動手段２２０は、表示手段２４０に表示される図５に示すようなユーザーインターフェイス画面２６０を表示させ、ユーザーに起動するアプリケーションを選択させることもできる。ここで、印刷装置１００と情報端末２００との接続時に情報端末２００が受け取る印刷装置１００の機種名（識別情報）に応じてサポートするアプリケーション（この場合、epson iPrint）のランチャーボタン２６６がユーザーインターフェイス画面２６０に表示される。尚、このランチャーボタン２６６は第２の起動手段に相当する。
尚、情報端末２００に対応するアプリケーションがインストールされていない場合、ユーザーがランチャーボタン２６６を押下すると、ダウンロードサイトに進み、所望のアプリケーションをインストールできる。
尚、表示されるランチャーボタン２６６のリソースデータ（例えば、画像データ、ダウンロードするＵＲＬ情報、対応機種名等）は、予め情報端末２００が保持している態様を想定する。
【００２８】
図２は、印刷システム５０における制御方法の流れの一部を示すフローチャートである。最初に、印刷装置１００と情報端末２００と、がＵＳＢケーブル３２０で有線接続されると、印刷装置１００および情報端末２００は、互いに接続処理を行い接続する。（ステップＳ６０、ステップＳ７０）。
次に、印刷装置１００は、情報端末２００との接続確立を確認し＜確認工程＞、情報端末２００で起動するアプリケーションを決定する（ステップＳ６２）＜決定工程＞。
次に、印刷装置１００は、決定したアプリケーションに基づいてアプリケーション情報を生成し、生成したアプリケーション情報を情報端末２００に送信する（ステップＳ６４）＜通知工程＞。
情報端末２００は、印刷装置１００から送信されたアプリケーション情報を受信し（ステップＳ７２）、受信したアプリケーション情報に基づいてアプリケーションのインストール状況を確認する（ステップＳ７４）＜判定工程＞。
【００２９】
ここで、情報端末２００は、アプリケーションを既にインストールしていると判定した場合（ステップＳ７６でＹｅｓ）、ステップＳ８６に進む。
他方で、情報端末２００は、アプリケーションをインストールしていないと判定した場合（ステップＳ７６でＮｏ）、アプリケーションをダウンロードするウェブサイトを決定する（ステップＳ７８）＜ノード決定工程＞。
次に、情報端末２００は、無線通信によりウェブサイトに接続し（ステップＳ８０）、接続先のサーバー３１０からアプリケーションをダウンロードする（ステップＳ８２）。
次に、情報端末２００は、ダウンロードしたアプリケーションをインストールし（ステップＳ８４）＜インストール工程＞、ステップＳ８６に進む。
ステップＳ８６では、情報端末２００はアプリケーションを起動し＜起動工程＞、起動したアプリケーションに対するユーザーの操作に基づいて印刷する画像データを決定する（ステップＳ８８）。
次に、情報端末２００は決定した画像データを印刷装置１００に送信する（ステップＳ９０）。
印刷装置１００は、情報端末２００から送信された画像データを受信し（ステップＳ９２）、受信した画像データに基づくイメージ画像を印刷する（ステップＳ９４）。尚、受信した画像データは即座に印刷せず、印刷装置１００に保存する態様も想定できる。例えば、図３に示すようなユーザーインターフェイス画面１５０が表示手段１３０に表示され、ユーザーが印刷するボタン１５２を押下した場合、イメージ画像が印刷される。他方で、ユーザーが保存するボタン１５４を押下した場合、イメージ画像は印刷されることなく印刷装置１００に保存される。
【００３０】
以上述べた実施形態によれば、以下のような効果を奏する。
（１）情報端末２００と印刷装置１００とは、プラグアンドプレイに対応するＵＳＢ規格に基づいて接続されるため、両者をＵＳＢケーブル３２０で接続するだけで両者間のデータ通信が可能になり、ユーザーは両者を接続後、接続設定することなく情報端末２００を操作して印刷する画像を印刷装置１００に送ると、印刷装置１００から所望の画像を印刷させることができる。従って、情報端末２００上の所望の画像を速やかに印刷することができる。
（２）情報端末２００と印刷装置１００とは有線により接続されるため、両者間でやり取りされるデータが外部に漏えいすることが回避でき、データの機密を保持できる。
（３）情報端末２００と印刷装置１００との接続を終了される場合においても、何らかの接続終了処理は不要であり、構築した印刷システム５０を容易に終了させることができる。
【００３１】
実施形態における各構成及びそれらの組み合わせは一例であり、本発明の趣旨から逸脱しない範囲内で、構成の付加、省略、置換およびその他の変更が可能である。また、本発明は実施形態では限定されるものではなく、クレームの範囲によってのみ限定される。
【符号の説明】
【００３２】
５０…印刷システム、１００…印刷装置、１１０…制御手段、１１２…接続確認手段、１１４…起動アプリケーション決定手段、１２０…有線通信手段、１２５…印刷手段、１３０…表示手段、１３５…操作手段、１３８…画像入力手段、２００…情報端末、２１０…制御手段、２１４…アプリケーション有無判定手段、２１６…ダウンロードサイト決定手段、２１８…インストール手段、２２０…アプリケーション起動手段、２３０…無線通信手段、２３５…有線通信手段、２４０…表示手段、２４５…操作手段、２５０…記憶手段、３００…ネットワーク、３１０…サーバー、３２０…ＵＳＢケーブル。
【図１】
2015049575.tif 000003
【図２】
2015049575.tif 000004
【図３】
2015049575.tif 000005
【図４】
2015049575.tif 000006
【図５】
2015049575.tif 000007